(57)【要約】【課題】  従来のＩＦ−ＴＴＬ装置の収容ラック内には、複数の放送局それぞれに設定されている周波数が誤っていると、他の放送局の電波に悪影響を及ぼすため、故障時若しくは調整時に、作業者が間違えて、誤った周波数に設定しないようにする必要がある。【解決手段】  収納ラックに実装されているそれぞれのＩＦ−ＴＴＬ装置が空中線に使用している実際の周波数及び放送局名を、作業者が分かるように、ＩＦ−ＴＴＬ装置の外面に表示するようにした。【選択図】  図１
2008294936.tif 000002
【特許請求の範囲】
【請求項１】
複数のＩＦ−ＴＴＬ（ Intermediate Frequency Transmitter to Transmitter Link ）装置を収容ラックに収容して運用するＩＦ−ＴＴＬ装置において、複数のＩＦ−ＴＴＬ装置の空中線に使用する電波の周波数を送信機又は受信機の表示部に表示することを特徴とするＩＦ−ＴＴＬ装置。
【発明の詳細な説明】
【技術分野】
【０００１】
本発明はＩＦ（ Intermediate Frequency ）信号を無線伝送するＴＴＬ（ Transmitter to Transmitter Link ）回線に関わり、特に、回線の末端部に設置することの多い簡易（ローコスト）ＩＦ−ＴＴＬ装置に関する。
【背景技術】
【０００２】
テレビ放送局の演奏所と放送所間で、地上テレビジョン方式のＩＦ（ Intermediate Frequency ）信号を無線伝送するＴＴＬ（ Transmitter to Transmitter Link ）回線では、その末端部に設置することの多い簡易（ローコスト）ＩＦ−ＴＴＬ送信機は送信変換部のみの１ユニット構成であり、受信機は受信変換部のみの１ユニット構成である。
簡易ＩＦ−ＴＴＬ装置は、内部に周波数シンセサイザを有し、その設定により空中線に使用する周波数を変更できる。しかし、これらの装置には、空中線で使用している電波の周波数の表示及び放送局名の表示が無い。
なお、ＴＴＬ装置に関する文献については、例えば、特許文献１がある。
【０００３】
簡易ＩＦ−ＴＴＬ装置は、周波数シンセサイザの設定により空中線に使用する周波数を変更できる。しかし、概ね複数ユニットを並べてラック等に実装するため、周波数設定を誤ると他の放送局に悪影響を及ぼす可能性がある。このため、周波数を誤って設定しないよう、作業者の設定時に、一見して周波数を確認できる必要がある。
【０００４】
図３は、従来の複数のＩＦ−ＴＴＬ装置を１つのラックに実装した場合のイメージ図である。10 は収容ラック、101 はＩＦ−ＴＴＬ装置Ａ、102 はＩＦ−ＴＴＬ装置Ｂ、103 はＩＦ−ＴＴＬ装置Ｃ、104 はＩＦ−ＴＴＬ装置Ｄ、105 はＩＦ−ＴＴＬ装置Ｅ、111 〜 114 はその下のラックにどの放送局のＩＦ−ＴＴＬ装置を実装すべきかを表示したラベルである。ラベル 111 〜 114 には、少なくとも、放送局名と設定周波数が表示されている。
【０００５】
図３において、ＩＦ−ＴＴＬ装置Ｃ 103 を故障やメンテナンスのためにＩＦ−ＴＴＬ装置Ｅ 105 に交換しようとした場合、周波数シンセサイザの設定を行なって、空中線に使用する周波数を変更する必要がある。この場合、他のＩＦ−ＴＴＬ装置（ＩＦ−ＴＴＬ装置Ａ 101 、ＩＦ−ＴＴＬ装置Ｂ 102 、ＩＦ−ＴＴＬ装置Ｄ 104 ）が、どんな空中線の周波数を使用しているか、又、どの放送局であるかを確認して、他の放送局に悪影響を及ぼさないようにする必要がある。
従って、交換するＩＦ−ＴＴＬ機Ｅ 105 と収納ラック 10 内の交換しないＩＦ−ＴＴＬ機Ａ 101 、ＩＦ−ＴＴＬ機Ｂ 102 、及び、ＩＦ−ＴＴＬ機Ｄ 104 とを作業者が区別できる表示が必要となる。
このため、収容ラックの、例えば上部に、その位置に実装すべき放送局名と設定周波数値が表示されたラベルが取り付けられている。
【０００６】
【特許文献１】特開２００２−１１２１２３号公報
【発明の開示】
【発明が解決しようとする課題】
【０００７】
上記のように、従来のＩＦ−ＴＴＬ装置の収容ラック内には、複数の放送局それぞれのＩＦ−ＴＴＬ装置が一緒に並べて実装されている。また、複数のＩＦ−ＴＴＬ装置それぞれは、空中線に使用する周波数が、それぞれの放送局毎に異なっている。この各放送局毎に設定されている周波数が誤っていると、他の放送局の電波に悪影響を及ぼすため、故障時若しくは調整時に、作業者が間違えて、誤った周波数に設定すると、稼動時に他の放送局に通信障害が発生する可能性がある。しかし、実装すべき又は交換すべき収容ラックの位置には、放送局名と設定周波数が表示されているが、交換されたまたは交換される前のＩＦ−ＴＴＬ装置には、設定された周波数の表示は無い。また表示があったとしても、表示の周波数値と設定されている周波数とが異なっている可能性がある。
本発明の目的は、上記のような問題を解決するため、ＩＦ−ＴＴＬ装置の交換作業時に、作業者が設定する周波数を間違えないようにすることが可能なＩＦ−ＴＴＬ装置を提供することにある。
【課題を解決するための手段】
【０００８】
上記の目的を達成するため、本発明のＩＦ−ＴＴＬ（ Intermediate Frequency Transmitter to Transmitter Link ）装置は、収納ラックに実装されているそれぞれのＩＦ−ＴＴＬ装置が空中線に使用している実際の周波数及び放送局名を、作業者が分かるように、ＩＦ−ＴＴＬ装置の外面に表示するようにしたものである。
即ち、本発明のＩＦ−ＴＴＬ装置は、複数のＩＦ−ＴＴＬ装置を収容ラックに収容して運用するＩＦ−ＴＴＬ装置において、複数のＩＦ−ＴＴＬ装置の空中線に使用する電波の周波数を送信機又は受信機の表示部に表示することを特徴とする。
【発明の効果】
【０００９】
本発明に拠れば、収納ラックに実装されるＩＦ−ＴＴＬ装置の周波数シンセサイザの設定を、作業者が変更する場合、容易に周波数を確認することができ、設定の誤りが少なくなる。また、収納ラックに実装されたユニットを交換するときにも、作業者が、一見して設定された実際の周波数、放送局名を確認することができるため、他局の装置との混同を防ぐことができる。
【発明を実施するための最良の形態】
【００１０】
本発明の一実施例を図１と図２で説明する。図２は、本発明の一実施例のＩＦ−ＴＴＬ装置を実装した収納ラックである。10′は収納ラック、101′はＩＦ−ＴＴＬ装置Ａ、102′はＩＦ−ＴＴＬ装置Ｂ、103′はＩＦ−ＴＴＬ装置Ｃ、104′はＩＦ−ＴＴＬ装置Ｄ、105′はＩＦ−ＴＴＬ装置Ｅ、201 はＩＦ−ＴＴＬ装置Ａ 101′の表示部、202 はＩＦ−ＴＴＬ装置Ｂ 102′の表示部、203 はＩＦ−ＴＴＬ装置Ｃ 103′の表示部、204 はＩＦ−ＴＴＬ装置Ｄ 104′の表示部、205 はＩＦ−ＴＴＬ装置Ｅ 105′の表示部である。
また、図１は、収納ラック 10′に実装されたそれぞれのＩＦ−ＴＴＬ装置の表示部 201 〜 205 等の本発明の一実施例である。206 は表示部、21 は表示部 206 に表示された周波数の表示域、22 は表示部 206 に表示された放送局名の表示域、23 は表示部 206 に表示されたチャンネルの表示域である。
【００１１】
図１に示すように、それぞれのＩＦ−ＴＴＬ装置の見易い位置に表示部 206 を設け、表示部 206 に、設定した周波数 21 、周波数 21 に該当する放送局名 22 、及び、放送局名に対応する（若しくは周波数 21 に該当する）チャンネル 23 を表示する。これにより、容易に設定されている周波数と放送局を確認することができ、周波数シンセサイザの設定を誤ることがなくなる。
また、図２のように、ユニットを交換するときにも、周波数と放送局名の表示があることにより他のユニットと混同することを防ぐことができる。
なお、この時、図２の収納ラック 10′の、例えば上部の枠部分等の見やすい場所に、実装するＩＦ−ＴＴＬ装置の放送局名と周波数を表示しておいて、表示部の表示と照合することにより、交換時に更に間違いが少なくなる。
【００１２】
上述の実施例に拠れば、収納ラックに実装されるＩＦ−ＴＴＬ装置の周波数シンセサイザの設定を、作業者が変更する場合、容易に周波数を確認することができ、設定の誤りが少なくなる。また、収納ラックに実装されたユニットを交換するときにも、作業者が、一見して周波数、放送局名を確認することができるため、他局の装置との混同を防ぐことができる。
【００１３】
次に、図４と図５によって、収納ラック 10′に実装された複数のＩＦ−ＴＴＬ装置（図２参照）のシステム構成の一実施例について説明する。図４では送信機のシステム構成と動作を説明し、図５では受信機のシステム構成と動作を説明する。
図４は、本発明の一実施例のＩＦ−ＴＴＬ装置の送信機を説明するためのシステム構成図である。また、図５は、本発明の一実施例のＩＦ−ＴＴＬ装置の受信機を説明するためのシステム構成図である。401 はＡ社放送局のＩＦ−ＴＴＬ送信機、402 はＢ社放送局のＩＦ−ＴＴＬ送信機、403 はＣ社放送局のＩＦ−ＴＴＬ送信機、404 はＤ社放送局のＩＦ−ＴＴＬ送信機、410 は送信共用器、420 は送信アンテナ、501 はＡ社放送局のＩＦ−ＴＴＬ受信機、502 はＢ社放送局のＩＦ−ＴＴＬ受信機、503 はＣ社放送局のＩＦ−ＴＴＬ受信機、504 はＤ社放送局のＩＦ−ＴＴＬ受信機、510 は受信共用器、520 は受信アンテナである。
なお、上記ＩＦ−ＴＴＬ送信機は、送信用のＩＦ−ＴＴＬ装置であり、ＩＦ−ＴＴＬ受信機は、受信用のＩＦ−ＴＴＬ装置である。
【００１４】
図４において、ＩＦ−ＴＴＬ送信機 401 〜 404 には、それぞれ、ＤＣ（ Direct Current ）電圧（例えば、ＤＣ＋４８［Ｖ］）が供給され、かつ、同期用の信号として、所定の周波数の同期信号（例えば、周波数１０［ＭＨｚ］）が入力される。
また更に、ＩＦ−ＴＴＬ送信機 401 には、Ａ社放送局のＯＦＤＭ（ Orthogonal Frequency Division Multiplex ）変調されたＩＦ信号が入力し、ＩＦ−ＴＴＬ送信機 402 には、Ｂ社放送局のＯＦＤＭ変調されたＩＦ信号が入力し、ＩＦ−ＴＴＬ送信機 403 には、Ｃ社放送局のＯＦＤＭ変調されたＩＦ信号が入力し、ＩＦ−ＴＴＬ送信機 404 には、Ｄ社放送局のＯＦＤＭ変調されたＩＦ信号がそれぞれ入力する。
各社毎の放送番組のデータについてＯＦＤＭ変調されたＩＦ信号は、それぞれ、対応するＩＦ―ＴＴＬ送信機 401 〜 404 のいずれかに入力する。ＩＦ―ＴＴＬ送信機 401 〜 404 は、それぞれ、入力されたＩＦ信号をＳＨＦ（ Super High Frequency ）帯の信号にアップコンバートし、更に電力増幅し、ＲＦ（ Radio Frequency ）信号として、送信共用器 410 に出力すると共に、制御監視部（後述する）に出力する。
送信用共用器 410 は、それぞれのＩＦ−ＴＴＬ送信機 401 〜 404 から入力されたＳＨＦ信号を、入力されたそれぞれの信号をフィルタリング処理して送信アンテナ 420 を介して、ＩＦ−ＴＴＬ受信機に送信する。
【００１５】
次に、図５において、図４のような送信用のＩＦ−ＴＴＬ装置から送信されたＳＨＦ信号を、ＩＦ−ＴＴＬ受信機側では、受信共用器 510 がアンテナ 520 を介して受信する。受信共用器 510 は、受信した信号をそれぞれの対応するＩＦ−ＴＴＬ受信機 501 〜 504 のいずれかに出力する。
ＩＦ−ＴＴＬ受信機 501 〜 504 、それぞれには、ＤＣ電圧（例えば、ＤＣ＋４８［Ｖ］）が供給される。
ＩＦ−ＴＴＬ受信機 501 〜 504 は、それぞれ入力されたＲＦ信号をダウンコンバートし、更に電力増幅し、ＩＦ信号として、各社放送局用（Ａ社放送局用、Ｂ社放送局用、Ｃ社放送局用、Ｄ社放送局用）のＯＦＤＭ（ Orthogonal Frequency Division Multiplex ）変調されたＩＦ信号を出力する。また同時に、制御監視部（後述する）に出力する。
【００１６】
次に、図４のＩＦ−ＴＴＬ送信機 401 〜 404 の構成を図６によって更に詳しく説明する。図６は、本発明の一実施例のＩＦ−ＴＴＬ送信機の構成を示すブロック図である。600 はＩＦ−ＴＴＬ送信機、610 は入力部、620 はアップコンバータ、630 はシンセサイザ、640 はＰＡ（電力増幅）部、650 は周波数検知部、660 は制御監視部、662 は制御監視部 660 内のメモリ、670 は表示部、680 は電源部である。
【００１７】
図６において、ＩＦ−ＴＴＬ送信機 600 の電源部 680 には、ＤＣ電圧（図６では、ＤＣ＋４８［Ｖ］）の電力が供給される。電源部 680 は、供給された電力をもとにＩＦ−ＴＴＬ送信機 600 の各部に電力を供給する。
また、ＩＦ−ＴＴＬ送信機 600 のシンセサイザ 630 には、同期用の信号として、所定の周波数の外部同期信号（例えば、周波数１０ＭＨｚ）が入力される。シンセサイザ 630 は、放送局毎に設定された周波数を作り、アップコンバータ 620 に出力する。
【００１８】
また更に、ＩＦ−ＴＴＬ送信機 600 の入力部 610 には、各放送局毎に異なるＯＦＤＭ（ Orthogonal Frequency Division Multiplex ）変調されたＩＦ信号（例えば、３７［ＭＨｚ］）が入力する。
入力部 610 は、ＡＧＣ（ Auto Gain Control ）機能とＢＰＦ（ Band Pass Filter ）機能とを備え、各社毎の放送番組のデータについてＯＦＤＭ変調されたＩＦ信号について、ＡＧＣとＢＰＦを行なう。即ち、入力された信号について、利得制御と不要な周波数成分の除去を行ない、アップコンバータ 620 に出力する。
アップコンバータ 620 は、入力部 610 から入力された信号を、シンセサイザ 630 から入力された周波数でアップコンバートしてＳＨＦ帯の信号に周波数変換し、ＰＡ部 640 に出力する。
ＰＡ部 640 は、入力された信号を所定の値に電力増幅して、ＲＦ信号（例えば、７［ＧＨｚ］）として外部に出力すると共に、周波数検知部 650 に一部を電力分配する。
【００１９】
周波数検知部 650 は、分配入力されたＲＦ信号の周波数を検出し、検出した周波数値を制御監視部 660 に出力する。
制御監視部 660 は、入力された周波数値に基づいてメモリ 662 を参照し、メモリ 662 から該当する放送局名とチャンネルを読み出し、周波数値と放送局名とチャンネルの表示データを表示部 670 に出力する。ここで、検出された周波数値は、例えば、±４．５［ＭＨｚ］の誤差範囲内で放送局名と対応可能である。なお、制御監視部 660 は、ＩＦ−ＴＴＬ送信機 600 内の各部の制御と監視を行なう。
表示部 670 は、その表示域にそれぞれ周波数値と放送局名とチャンネルを表示する。
【００２０】
次に、図５のＩＦ−ＴＴＬ受信機 501 〜 504 の構成を図７によって更に詳しく説明する。図７は、本発明の一実施例のＩＦ−ＴＴＬ受信機の構成を示すブロック図である。700 はＩＦ−ＴＴＬ受信機、710 は入力部、720 はダウンコンバータ、730 はシンセサイザ、740 はＡＭＰ（増幅）部、750 は周波数検知部、760 は制御監視部、762 は制御監視部 760 内のメモリ、770 は表示部、780 は電源部である。
【００２１】
図７において、ＩＦ−ＴＴＬ受信機 700 の電源部 780 には、ＤＣ電圧（図７では、ＤＣ＋４８［Ｖ］）の電力が供給される。電源部 780 は、供給された電力をもとにＩＦ−ＴＴＬ受信機 700 の各部に電力を供給する。
また、シンセサイザ 730 は、放送局毎に設定された周波数を作り、ダウンコンバータ 720 に出力する。
【００２２】
また更に、ＩＦ−ＴＴＬ受信機 700 の入力部 710 には、ＲＦ信号が入力され、かつ、その一部が周波数検知部 750 にも入力される。
入力部 710 は、ＬＮＡ（ Low Noise Amplifier ）機能とＢＰＦ（ Band Pass Filter ）機能とを備え、入力されたＲＦ信号について、ＬＮＡとＢＰＦを行ない、ノイズ除去と不要な周波数成分の除去を行なって、ダウンコンバータ 720 に出力する。
ダウンコンバータ 720 は、入力部 710 から入力された信号を、シンセサイザ 730 から入力された周波数でダウンコンバートしてＩＦ周波数に変換し、ＡＭＰ部 740 に出力する。
ＡＭＰ部 740 は、ＡＧＣ（ Auto Gain Control ）機能、ＢＰＦ（ Band Pass Filter ）機能、及び、ＩＦ信号増幅機能を備え、入力された信号について、ＡＧＣ、ＢＰＦ、及びＩＦ信号増幅を行なう。即ち、入力された信号について、利得制御、不要な周波数成分の除去、及び増幅を行ない、ＩＦ信号として外部に出力する。
【００２３】
次に、周波数検知部 750 は、入力されたＲＦ信号の周波数を検出し、検出した周波数値を制御監視部 760 に出力する。
制御監視部 760 は、入力された周波数値に基づいてメモリ 762 を参照し、メモリ 762 から該当する放送局名とチャンネルを読み出し、周波数値と放送局名とチャンネルの表示データを表示部 770 に出力する。ここで、検出された周波数値は、例えば、±４．５［ＭＨｚ］の誤差範囲内で放送局名と対応可能である。なお、制御監視部 760 は、ＩＦ−ＴＴＬ受信機 700 内の各部の制御と監視を行なう。
表示部 770 は、その表示域にそれぞれ周波数値と放送局名とチャンネルを表示する。
【００２４】
次に、本発明の一実施例のＩＦ−ＴＴＬ装置（ＩＦ−ＴＴＬ送信機若しくはＩＦ−ＴＴＬ受信機）のユニット単体での周波数設定とユニットの交換について、図８又は図９を参照して説明する。図８は、本発明の一実施例のＩＦ−ＴＴＬ送信機での周波数設定を説明するための図、図９は本発明の一実施例のＩＦ−ＴＴＬ受信機での周波数設定を説明するための図である。
600 はＩＦ−ＴＴＬ送信機、801 はＳＧ（ Signal Generator ）、802 は電源ユニット、803 は減衰器、804 は周波数カウンタである。また、700 はＩＦ−ＴＴＬ受信機、901 はＳＧ（ Signal Generator ）、902 は電源ユニット、903 は周波数カウンタである。
【００２５】
図８において、ＳＧ 801 の出力と電源ユニット 802 の出力は、ＩＦ−ＴＴＬ送信機 600 に接続し、ＩＦ−ＴＴＬ送信機 600 の出力は、減衰器 803 に接続している。更に、減衰器 803 の出力は、周波数カウンタ 804 に接続している。
また、図９において、ＳＧ 901 の出力と電源ユニット 902 の出力は、ＩＦ−ＴＴＬ受信機 700 に接続し、ＩＦ−ＴＴＬ受信機 700 の出力は、周波数カウンタ 903 に接続している。
【００２６】
図８において、電源ユニット 802 には、ＡＣ（ Alternating Current ）電圧１００［Ｖ］若しくは２００［Ｖ］の電力が供給され、これによって、電源ユニット 802 は、ＤＣ電圧＋４８［Ｖ］の電力をＩＦ−ＴＴＬ送信機 600 に供給する。この供給された電力によって、ＩＦ−ＴＴＬ送信機 600 が駆動する。
ＩＦ−ＴＴＬ送信機 600 の周波数を測定する場合には、ＳＧ 801 から３７［ＭＨｚ］のＣＷ（ Continuous Wave ）をＩＦ信号として、ＩＦ−ＴＴＬ送信機 600 に出力する。
この時、ＩＦ−ＴＴＬ送信機 600 は、７［ＧＨｚ］のＲＦ信号を減衰器 803 を介して周波数カウンタ 804 に出力する。周波数カウンタ 804 は、入力された信号の周波数を測定してその値を出力する。出力形態は、表示部への表示、プリンタへの出力、等である。
【００２７】
図９において、電源ユニット 902 には、ＡＣ（ Alternating Current ）電圧１００［Ｖ］若しくは２００［Ｖ］の電力が供給され、これによって、電源ユニット 902 は、ＤＣ電圧＋４８［Ｖ］の電力をＩＦ−ＴＴＬ受信機 700 に供給する。この供給された電力によって、ＩＦ−ＴＴＬ受信機 700 が駆動する。
ＩＦ−ＴＴＬ受信機 700 の周波数を測定する場合には、ＳＧ 901 から７［ＧＨｚ］のＲＦ信号をＩＦ−ＴＴＬ送信機 600 に出力する。
この時、ＩＦ−ＴＴＬ受信機 700 は、３７［ＭＨｚ］のＩＦ信号を周波数カウンタ 903 に出力する。周波数カウンタ 903 は、入力された信号の周波数を検出してその値を出力する。出力形態は、表示部への表示、プリンタへの出力、等である。
【００２８】
収容ラックに実装されたＩＦ−ＴＴＬ装置（送信機若しくは受信機であり、以下ユニットと称する）を交換する場合には、当該ユニットを収容ラックから取り外し、上記のように設定された周波数を確認した送信機若しくは受信機を収容ラックに実装する。
図１０は、図８の構成を用いてＩＦ−ＴＴＬ送信機ユニットの周波数設定を行なう場合の手順を説明するためのフローチャートであり、図１１は、図９の構成を用いてＩＦ−ＴＴＬ受信機ユニットの周波数設定を行なう場合の手順を説明するためのフローチャートである。
【００２９】
図１０において、周波数設定開始ステップ 1010 で、周波数設定を開始する。
次にステップ 1020 では、この時、作業者は、交換すべきユニットの収容ラックの上部にあるラベル表示により周波数を確認して、周波数シンセサイザの設定スイッチによって設定すべき周波数を入力する。
次にステップ 1030 では、ＩＦ−ＴＴＬ送信機ユニットに電源を投入する。
次にステップ 1040 では、ＩＦ−ＴＴＬ送信機ユニットにＩＦ信号を入力する。
次にステップ 1050 では、周波数カウンタの出力から周波数の値を確認し、周波数の値が許容範囲内であれば、周波数設定ステップ 1080 に進み、周波数設定を完了する。もし、確認された周波数の値が許容範囲外であれば、ステップ 1060 に進む。
ステップ 1060 では、ＩＦ信号の入力を止め、ステップ 1070 に進む。
ステップ 1070 では、ＩＦ−ＴＴＬ送信機ユニットの電源を止めてステップ 1020 に進む。そして、ステップ 1020 から以降のステップをまた繰り返す。
【００３０】
図１１において、周波数設定開始ステップ 1110 で、周波数設定を開始する。
次にステップ 1120 では、この時、作業者は、交換すべきユニットの収容ラックの上部にあるラベル表示により周波数を確認して、周波数シンセサイザの設定スイッチによって設定すべき周波数を入力する。
次にステップ 1130 では、ＩＦ−ＴＴＬ受信機ユニットに電源を投入する。
次にステップ 1140 では、ＩＦ−ＴＴＬ受信機ユニットにＲＦ信号を入力する。
次にステップ 1150 では、周波数カウンタの出力から周波数の値を確認し、周波数の値が許容範囲内であれば、周波数設定ステップ 1180 に進み、周波数設定を完了する。もし、確認された周波数の値が許容範囲外であれば、ステップ 11060 に進む。
ステップ 1160 では、ＲＦ信号の入力を止め、ステップ 1170 に進む。
ステップ 1170 では、ＩＦ−ＴＴＬ受信機ユニットの電源を止めてステップ 1120 に進む。そして、ステップ 1120 から以降のステップをまた繰り返す。
【００３１】
上記、図１０と図１１のフローチャートの説明では、周波数設定の操作の一部を作業者が行なっていた。しかし、周波数設定を確認し、入力後の過程については、プログラムによって自動化可能なことは自明である。
【００３２】
次に、本発明のＩＦ−ＴＴＬ装置の他の実施例を図１２と図１３によって説明する。図１２は、本発明の一実施例のＩＦ−ＴＴＬ送信機の構成を示すブロック図である。また図１３は、本発明の一実施例のＩＦ−ＴＴＬ受信機の構成を示すブロック図である。
図１２と図１３において、図６又は図７と同一の符号のものは、同一の機能を有する。また、1200 はＩＦ−ＴＴＬ送信機、1230 はシンセサイザ、1300 はＩＦ−ＴＴＬ受信機、1330 はシンセサイザである。
【００３３】
図１２において、ＩＦ−ＴＴＬ送信機 1200 の電源部 680 には、ＤＣ電圧（図１２では、ＤＣ＋４８［Ｖ］）の電力が供給される。電源部 680 は、供給された電力をもとにＩＦ−ＴＴＬ送信機 600 の各部に電力を供給する。
また、ＩＦ−ＴＴＬ送信機 1200 のシンセサイザ 1230 には、同期用の信号として、所定の周波数の外部同期信号（例えば、周波数１０ＭＨｚ）が入力される。シンセサイザ 1230 は、放送局毎に設定された周波数を作り、アップコンバータ 620 と周波数検知部 650 に出力する。
【００３４】
また更に、ＩＦ−ＴＴＬ送信機 1200 の入力部 610 には、各放送局毎に異なるＯＦＤＭ（ Orthogonal Frequency Division Multiplex ）変調されたＩＦ信号（例えば、３７［ＭＨｚ］）が入力する。
入力部 610 は、ＡＧＣ（ Auto Gain Control ）機能とＢＰＦ（ Band Pass Filter ）機能とを備え、各社毎の放送番組のデータについてＯＦＤＭ変調されたＩＦ信号について、ＡＧＣとＢＰＦを行なう。即ち、入力された信号について、利得制御と不要な周波数成分の除去を行ない、アップコンバータ 620 に出力する。
アップコンバータ 620 は、入力部 610 から入力された信号を、シンセサイザ 1230 から入力された周波数でアップコンバートしてＳＨＦ帯の信号に周波数変換し、ＰＡ部 640 に出力する。
ＰＡ部 640 は、入力された信号を所定の値に電力増幅して、ＲＦ信号（例えば、７［ＧＨｚ］）として外部に出力する。
【００３５】
周波数検知部 650 は、入力されたシンセサイザ 1230 の出力信号の周波数を検出し、検出した周波数値を制御監視部 660 に出力する。
制御監視部 660 は、入力された周波数値に基づいてメモリ 662 を参照し、メモリ 662 から該当する放送局名とチャンネルを読み出し、周波数値と放送局名とチャンネルの表示データを表示部 670 に出力する。ここで、検出された周波数値は、例えば、±４．５［ＭＨｚ］の誤差範囲内で放送局名と対応可能である。なお、制御監視部 660 は、ＩＦ−ＴＴＬ送信機 1200 内の各部の制御と監視を行なう。
表示部 670 は、その表示域にそれぞれ周波数値と放送局名とチャンネルを表示する。
【００３６】
図１３において、ＩＦ−ＴＴＬ受信機 1300 の電源部 780 には、ＤＣ電圧（図１３では、ＤＣ＋４８［Ｖ］）の電力が供給される。電源部 780 は、供給された電力をもとにＩＦ−ＴＴＬ受信機 1300 の各部に電力を供給する。
また、シンセサイザ 1330 は、放送局毎に設定された周波数を作り、ダウンコンバータ 720 と周波数検知部 750 に出力する。
【００３７】
また更に、ＩＦ−ＴＴＬ受信機 1300 の入力部 710 には、ＲＦ信号が入力される。
入力部 710 は、ＬＮＡ（ Low Noise Amplifier ）機能とＢＰＦ（ Band Pass Filter ）機能とを備え、入力されたＲＦ信号について、ＬＮＡとＢＰＦを行ない、ノイズ除去と不要な周波数成分の除去を行なって、ダウンコンバータ 720 に出力する。
ダウンコンバータ 720 は、入力部 710 から入力された信号を、シンセサイザ 1330 から入力された周波数でダウンコンバートしてＩＦ周波数に変換し、ＡＭＰ部 740 に出力する。
ＡＭＰ部 740 は、ＡＧＣ（ Auto Gain Control ）機能、ＢＰＦ（ Band Pass Filter ）機能、及び、ＩＦ信号増幅機能を備え、入力された信号について、ＡＧＣ、ＢＰＦ、及びＩＦ信号増幅を行なう。即ち、入力された信号について、利得制御、不要な周波数成分の除去、及び増幅を行ない、ＩＦ信号として外部に出力する。
【００３８】
次に、周波数検知部 750 は、シンセサイザ 1330 から入力された信号の周波数を検出し、検出した周波数値を制御監視部 760 に出力する。
制御監視部 760 は、入力された周波数値に基づいてメモリ 762 を参照し、メモリ 762 から該当する放送局名とチャンネルを読み出し、周波数値と放送局名とチャンネルの表示データを表示部 770 に出力する。ここで、検出された周波数値は、例えば、±４．５［ＭＨｚ］の誤差範囲内で放送局名と対応可能である。なお、制御監視部 760 は、ＩＦ−ＴＴＬ受信機 1300 内の各部の制御と監視を行なう。
表示部 770 は、その表示域にそれぞれ周波数値と放送局名とチャンネルを表示する。
【００３９】
次に、本発明のＩＦ−ＴＴＬ装置の他の実施例を図１４と図１５によって説明する。図１４は、本発明の一実施例のＩＦ−ＴＴＬ送信機の構成を示すブロック図である。また図１５は、本発明の一実施例のＩＦ−ＴＴＬ受信機の構成を示すブロック図である。
図１４と図１５において、図６若しくは図１２、又は、図７若しくは図１３と同一の符号のものは、同一の機能を有する。また、1400 はＩＦ−ＴＴＬ送信機、1460 は制御監視部、1500 はＩＦ−ＴＴＬ受信機、1560 は制御監視部である。
【００４０】
図１４において、ＩＦ−ＴＴＬ送信機 1400 の電源部 680 には、ＤＣ電圧（図１２では、ＤＣ＋４８［Ｖ］）の電力が供給される。電源部 680 は、供給された電力をもとにＩＦ−ＴＴＬ送信機 1400 の各部に電力を供給する。
また、ＩＦ−ＴＴＬ送信機 1400 のシンセサイザ 1230 には、同期用の信号として、所定の周波数の外部同期信号（例えば、周波数１０ＭＨｚ）が入力される。シンセサイザ 1230 は、放送局毎に設定された周波数を作り、アップコンバータ 620 と制御監視部 1460 に出力する。
【００４１】
また更に、ＩＦ−ＴＴＬ送信機 1400 の入力部 610 には、各放送局毎に異なるＯＦＤＭ（ Orthogonal Frequency Division Multiplex ）変調されたＩＦ信号（例えば、３７［ＭＨｚ］）が入力する。
入力部 610 は、ＡＧＣ（ Auto Gain Control ）機能とＢＰＦ（ Band Pass Filter ）機能とを備え、各社毎の放送番組のデータについてＯＦＤＭ変調されたＩＦ信号について、ＡＧＣとＢＰＦを行なう。即ち、入力された信号について、利得制御と不要な周波数成分の除去を行ない、アップコンバータ 620 に出力する。
アップコンバータ 620 は、入力部 610 から入力された信号を、シンセサイザ 1230 から入力された周波数でアップコンバートしてＳＨＦ帯の信号に周波数変換し、ＰＡ部 640 に出力する。
ＰＡ部 640 は、入力された信号を所定の値に電力増幅して、ＲＦ信号（例えば、７［ＧＨｚ］）として外部に出力する。
【００４２】
制御監視部 1460 は、シンセサイザ 1230 から入力された信号の周波数値に基づいてメモリ 662 を参照し、メモリ 662 から該当する放送局名とチャンネルを読み出し、周波数値と放送局名とチャンネルの表示データを表示部 670 に出力する。ここで、検出された周波数値は、例えば、±４．５［ＭＨｚ］の誤差範囲内で放送局名と対応可能である。なお、制御監視部 1460 は、ＩＦ−ＴＴＬ送信機 1400 内の各部の制御と監視を行なう。
表示部 670 は、その表示域にそれぞれ周波数値と放送局名とチャンネルを表示する。
【００４３】
図１５において、ＩＦ−ＴＴＬ受信機 1500 の電源部 780 には、ＤＣ電圧（図１３では、ＤＣ＋４８［Ｖ］）の電力が供給される。電源部 780 は、供給された電力をもとにＩＦ−ＴＴＬ受信機 1500 の各部に電力を供給する。
また、シンセサイザ 1330 は、放送局毎に設定された周波数を作り、ダウンコンバータ 720 と制御監視部 1560 に出力する。
【００４４】
また更に、ＩＦ−ＴＴＬ受信機 1500 の入力部 710 には、ＲＦ信号が入力される。
入力部 710 は、ＬＮＡ（ Low Noise Amplifier ）機能とＢＰＦ（ Band Pass Filter ）機能とを備え、入力されたＲＦ信号について、ＬＮＡとＢＰＦを行ない、ノイズ除去と不要な周波数成分の除去を行なって、ダウンコンバータ 720 に出力する。
ダウンコンバータ 720 は、入力部 710 から入力された信号を、シンセサイザ 1330 から入力された周波数でダウンコンバートしてＩＦ周波数に変換し、ＡＭＰ部 740 に出力する。
ＡＭＰ部 740 は、ＡＧＣ（ Auto Gain Control ）機能、ＢＰＦ（ Band Pass Filter ）機能、及び、ＩＦ信号増幅機能を備え、入力された信号について、ＡＧＣ、ＢＰＦ、及びＩＦ信号増幅を行なう。即ち、入力された信号について、利得制御、不要な周波数成分の除去、及び増幅を行ない、ＩＦ信号として外部に出力する。
【００４５】
次に、制御監視部 1560 は、シンセサイザ 1330 から入力された周波数値に基づいてメモリ 762 を参照し、メモリ 762 から該当する放送局名とチャンネルを読み出し、周波数値と放送局名とチャンネルの表示データを表示部 770 に出力する。ここで、検出された周波数値は、例えば、±４．５［ＭＨｚ］の誤差範囲内で放送局名と対応可能である。なお、制御監視部 1560 は、ＩＦ−ＴＴＬ受信機 1500 内の各部の制御と監視を行なう。
表示部 770 は、その表示域にそれぞれ周波数値と放送局名とチャンネルを表示する。
【００４６】
上述の実施例に拠れば、収納ラックに実装されるＩＦ−ＴＴＬ装置の周波数シンセサイザの設定を、作業者が変更する場合、容易に周波数を確認することができ、設定の誤りが少なくなる。また、収納ラックに実装されたユニットを交換するときにも、作業者が、一見して設定された実際の周波数、放送局名を確認することができるため、他局の装置との混同を防ぐことができる。
なお、上記実施例では、収容ラックに実装されているＩＦ−ＴＴＬ装置のユニット数が４の場合で説明したが、ユニット数は４に限らないことは自明である。
【図面の簡単な説明】
【００４７】
【図１】本発明の一実施例のＩＦ−ＴＴＬ装置の表示部。
【図２】本発明の一実施例のＩＦ−ＴＴＬ装置を実装した収容ラック。
【図３】従来の複数のＩＦ−ＴＴＬ装置を実装した収容ラックのイメージ図。
【図４】本発明の一実施例の収納ラックに実装された複数のＩＦ−ＴＴＬ装置（送信機）のシステム構成について説明するための図。
【図５】本発明の一実施例の収納ラックに実装された複数のＩＦ−ＴＴＬ装置（受信機）のシステム構成について説明するための図。
【図６】本発明の一実施例の送信機の構成を示すブロック図。
【図７】本発明の一実施例の受信機の構成を示すブロック図。
【図８】本発明の一実施例のＩＦ−ＴＴＬ送信機での周波数設定を説明するための図。
【図９】本発明の一実施例のＩＦ−ＴＴＬ受信機での周波数設定を説明するための図。
【図１０】本発明の一実施例のＩＦ−ＴＴＬ送信機ユニットの周波数設定を行なう場合の手順を説明するためのフローチャート。
【図１１】本発明の一実施例のＩＦ−ＴＴＬ受信機ユニットの周波数設定を行なう場合の手順を説明するためのフローチャート。
【図１２】本発明の一実施例のＩＦ−ＴＴＬ送信機の構成を示すブロック図。
【図１３】本発明の一実施例のＩＦ−ＴＴＬ受信機の構成を示すブロック図。
【図１４】本発明の一実施例のＩＦ−ＴＴＬ送信機の構成を示すブロック図。
【図１５】本発明の一実施例のＩＦ−ＴＴＬ受信機の構成を示すブロック図。
【符号の説明】
【００４８】
10，10′：収容ラック、  21：周波数の表示域、  22：放送局名の表示域、  23：チャンネルの表示域、  101〜105，101′〜105′：ＩＦ−ＴＴＬ装置、  111〜114：ラベル、  201〜206：表示部、  600：ＩＦ−ＴＴＬ送信機、  610：入力部、  620：アップコンバータ、  630：シンセサイザ、  640：ＰＡ部、  650：周波数検知部、  660：制御監視部、  662：メモリ、  670：表示部、  680：電源部、  700：ＩＦ−ＴＴＬ受信機、  710：入力部、  720：ダウンコンバータ、  730：シンセサイザ、  740：ＡＭＰ部、  750：周波数検知部、  760：制御監視部、  762：メモリ、  770：表示部、  780：電源部、  801：ＳＧ、  802：電源ユニット、  803：減衰器、  804：周波数カウンタ、  901：ＳＧ、  902：電源ユニット、  903：周波数カウンタ、  1200：ＩＦ−ＴＴＬ送信機、  1230：シンセサイザ、  1300：ＩＦ−ＴＴＬ受信機、  1330：シンセサイザ、  1400：ＩＦ−ＴＴＬ送信機、  1460：制御監視部、  1500：ＩＦ−ＴＴＬ受信機、  1560：制御監視部。
【図１】
2008294936.tif 000003
【図２】
2008294936.tif 000004
【図３】
2008294936.tif 000005
【図４】
2008294936.tif 000006
【図５】
2008294936.tif 000007
【図６】
2008294936.tif 000008
【図７】
2008294936.tif 000009
【図８】
2008294936.tif 000010
【図９】
2008294936.tif 000011
【図１０】
2008294936.tif 000012
【図１１】
2008294936.tif 000013
【図１２】
2008294936.tif 000014
【図１３】
2008294936.tif 000015
【図１４】
2008294936.tif 000016
【図１５】
2008294936.tif 000017